(57)【特許請求の範囲】
【請求項１】
パネル本体の端部に接合可能な基面に、この基面の長手方向に連続乃至断続し基面から外方に向けた係止部を形成してなる端面レールを、パネル本体端部に固着し、このレールの一部には外方から圧嵌可能な係合部を形成してなる縁材を圧嵌して止着し、他の一部には長手方向にスライド可能な係合部を形成してなる縁材をスライドして止着した構成を有する間仕切りパネル。
【請求項２】
端面レールの係止部はアンダーカット状の係止部とすると共に、この係止部は、スライド係合可能に内向きに対向して設けた一対のスライド係止部と、圧嵌可能に上記スライド係止部外側に設けた外向き一対の圧嵌係止部とを有して形成し、上記スライド係止部にスライド係合可能な縁材は、対応する一対の凸状部を設けた係合部を有して形成し、上記圧嵌係止部に圧嵌可能な縁材は、対応する一対の凸状部を設けた係合部を有して形成した構成を有する請求項１に記載の間仕切りパネル。
【発明の詳細な説明】
【０００１】
【発明の属する技術分野】
本発明は、縁材をパネル本体端部に取り付けやすいようにした間仕切りパネルに関する。
【０００２】
【従来の技術と解決課題】
間仕切りパネルは、端面が露出する場合が多いことから、化粧材を装着し、また可動式連結パネルの場合は、回転を阻害しない縁形態とする必要があるが、化粧材は、端面にビス等で直に固定しているものが多く、ビス頭が露出して外観上好ましいものではなかった。また化粧材を端面に直に係止させているものもあるが、脱落を防止することから着脱の利便性が劣るものであった。
本発明は、これらの問題点を改善し、端面にビス等を露出させず、かつ端面に所望の縁材を着脱自在とした間仕切りパネルを提供せんとするものである。
【０００３】
【課題を解決するための手段】
上記課題を解決するために、本発明は、パネル本体の端部に接合可能な基面に、この基面の長手方向に連続乃至断続し基面から外方に向けた係止部を形成してなる端面レールを、パネル本体端部に固着し、このレールの一部には外方から圧嵌可能な係合部を形成してなる縁材を圧嵌して止着し、他の一部には長手方向にスライド可能な係合部を形成してなる縁材をスライドして止着して間仕切りパネルを構成したことを特徴とするものである。
【０００４】
上記端面レールの好ましい一例は、アンダーカット状の係止部とすると共に、この係止部は、スライド係合可能に内向きに対向して設けた一対のスライド係止部と、圧嵌可能に上記スライド係止部外側に設けた外向き一対の圧嵌係止部とを有して形成し、上記スライド係止部にスライド係合可能な縁材は、対応する一対の凸状部を設けた係合部を有して形成し、上記圧嵌係止部に圧嵌可能な縁材は、対応する一対の凸状部を設けた係合部を有して形成したものとすることができる。
【０００５】
上記構成により、端面レールをパネル本体の端面に被着し、ビス止め等により固着することができ、この端面レールとビス等を露出させることなく縁材をカバーし、化粧仕上げすることができる。縁材は必要に応じて長手方向からスライド係合させて確実な止着を得ることができ、かつ端面に直交状に圧嵌させて止着させることができ、所望の部材を同時に或いは選択的に取り付けることができる。
【０００６】
【発明の実施の形態】
以下、本発明を一実施例として示した図面によって説明する。
図１は本発明に係る間仕切りパネルの縁部を分解状態で示した斜視略図、図２は端面レールの正面略図、図３は端面レールに縁材を係合する状態を説明する上面略図である。
【０００７】
パネル１は、その材質、構造を任意とし、パネル本体２の端面に接合する基面３ａの両縁に縁片３ｂ，３ｂを折曲して断面コの字状に形成した端面レール３を、パネル本体２端部に被着してビス止め等により固着させ、パネル１の前後面の縁沿いに縁取り（３ｂ）を形成させた構成としてある。
端面レール３は、アルミニウム、プラスチック等任意材質として成形し、図２に示す如く、基面３ａの外側面に一対のアンダーカット状の係止部３ｃ，３ｃ（図示の断面Ｔ字状係止部、その他の膨頭状係止部）を長手方向に沿って突設し、この一対係止部の対向する内側は、対向状に溝部を形成して、縁材４乃至５の凸状の係合部をスライド係合可能となしたスライド係止部３ｄとなし、一対係止部の対向する外側は、外向き対向状に溝部を形成すると共に、縁材４乃至５の凸状の係合部を端面外方から圧嵌しやすいように外側を平坦乃至円弧状等の適宜傾斜面で切欠した圧嵌係止部３ｅとなしてある。
【０００８】
この端面レール３には、図３，４に示す如き係合部を有するプラスチック、ゴム、アルミニウム等任意材質で適宜用途の縁材を着脱可能に固定することができる。
図３（Ａ），（Ｂ）はスライド係合部４ａを有した縁材４、（Ｃ），（Ｄ）は圧嵌係合部５ａを有した縁材５の例を示してある。
縁材４は、スライド係止部３ｄの対向溝部にスライド係合する凸条４ｂを有してスライド係合部４ａ，４ａをそれぞれ形成し、これらは好ましくはスライド係止部３ｄを抱持する係合部状態として設け、この係合部の端面外側にパネル回転枢軸となる軸受孔４ｃを一体に連設し、これらを囲ってパネル本体端部を化粧仕上げ状態に納める外観の外周面４ｄを一体に形成してなっている。
なお、スライド係止部３ｄの前後側であって外周面４ｄの基部（パネル本体側）付近にはヒンジ部材の係止部４ｅを形成してもよい。
上記縁材４は、パネル本体端面に固着してある端面レール３の端部から、スライド係合部４ａ，４ａをスライド係止部３ｄ，３ｄに係合させつつ、長手方向にスライド嵌合し、パネル本体の所定部位に設置することができる。
【０００９】
縁材５は、圧嵌係止部３ｅ，３ｅの外向き対向溝部に圧嵌しやすいように、凸部の先端部分を傾斜面乃至曲面となして圧嵌係合部５ａをそれぞれ形成し、これら圧嵌係合部５ａは、パネル本体端部を化粧仕上げ状態に納める外観の外周面５ｂの基部を内側に対向状に折曲して形成してある。
上記縁材５は、パネル本体端面の外方から端面に向かって押圧するようにして、圧嵌係合部５ａ，５ａを圧嵌係止部３ｅ，３ｅに嵌合させれば、圧嵌係合部５ａが前後方向の応力を受け、外周面５ｂの基部付近が若干変形して後、圧嵌係止部３ｅに嵌まり込むことができる。
圧嵌係止部３ｅ乃至圧嵌係合部５ａの当接し合う部分は、少なくともいずれか一方、好ましくは両方の面部分を上記変形が誘導されやすい傾斜面乃至曲面として形成するのがよい。
【００１０】
上記のように、パネル本体２の端部に端面レール３を固着し、これに縁材４，５を被着して、パネル１を構成することができる。
図１は、パネル本体２の上端部及び下端部（図示せず）に縁材４を圧嵌し、中間部に縁材５をスライド係合させ、さらに別部材を装着した例を示してある。縁材４の上端部にはキャップ６を被着し、端面レール３及び縁材４の上端面を被覆するようにしてある。キャップ中央部の凹部はパネルのスライドロック用のスライド溝部である。縁材４と５の継ぎ目部には連結部材７を介装させてある。連結部材７は、縁材４，５の端面に略合致する板部７ａを有し、その外周に、両縁材の外周面４ｄ，５ｂに嵌合する若干巾の立壁７ｂを起立させて形成してあり、この立壁７ｂの内側に両縁材の端部を嵌合させて納めるようにしてある。
【００１１】
また、縁材４と５の間には、上記同様に立壁８ａを形成した縁材の端部を納める端部材８，８と、その間に、連結するパネル１，１を回転自在に支持する軸受孔９ａ，９ａを形成した板状のダブルヒンジ９を介装させてもよい。
上記キャップ６，縁材４、連結部材７、乃至端部材８とダブルヒンジ９にそれぞれ設けた孔に回転軸（図示せず）を挿通させることができる。
【００１２】
【発明の効果】
このようにして、本発明によれば、パネル本体の端部に端面レールをビス止め等により確実に固着し、この端面レールに所望の縁材を係合して、パネル端部をビス等が露出しない、化粧端部として仕上げることができる。
縁材は、スライド係止部と係合部により端面レールの長手方向にスライドさせて係合するものと、圧嵌係止部と係合部により端面レールの外方から押圧するように圧嵌させるものとを少なくとも使用することができ、端面レールはこれらを同時に着脱自在に係止することができるので、パネル端部に所望の部材を装着し、機能性と同時に外観の良好性を高めることができる。
【図面の簡単な説明】
【図１】本発明に係る間仕切りパネルの端部を分解状態で示す斜視略図である。
【図２】図１の端面レールを示す上面略図である。
【図３】図１の縁材の係合状態を示す上面略図であり、（Ａ），（Ｂ）はスライド係合部の状態を示し、（Ｃ），（Ｄ）は圧嵌係合部の状態を示してある。
【符号の説明】
１        パネル
２        パネル本体
３        端面レール
３ａ      基面
３ｂ      縁片
３ｃ      係止部
３ｄ      スライド係止部
３ｅ      圧嵌係止部
４        縁材
４ａ      スライド係合部
４ｂ      凸条
４ｃ      軸受孔
４ｄ      外周面
４ｅ      係止部
５        縁材
５ａ      圧嵌係合部
５ｂ      外周面
６        キャップ
７        連結部材
８        端部材
９        ダブルヒンジ
【図１】
0003842514.tif 000002
【図２】
0003842514.tif 000003
【図３】
0003842514.tif 000004